(57)【要約】【課題】  内タンクと外タンクからなる２重の便器洗浄水タンクにおいて、外タンクからの結露水の漏水を防止すること。【解決手段】  便器洗浄水を貯留する内タンクと、前記内タンクの外側に配設され前記内タンクを収容する外タンクとを備えた便器洗浄水タンクにおいて、前記内タンクの底部には、排水口と、この排水口の周縁から一体的に突設した洗浄水供給通路部を有し、前記外タンクの底部には、前記洗浄水排出通路部を貫通し且つ固定シールする排出口と、便器と前記外タンクとを固定するボルトを貫通する固定ボルト貫通穴と、前記外タンクと前記内タンクとの間の空間部を通して前記内タンクの給水部に給水配管に導くために前記給水配管が貫通する給水配管用貫通孔とを有し、前記外タンクの底部の内側面に前記給水配管用貫通孔の周囲を囲む第１立設堰を設けた。【選択図】  図１
2005207049.tif 000002
【特許請求の範囲】
【請求項１】
便器洗浄水を貯留する内タンクと、前記内タンクの外側に配設され前記内タンクを収容する外タンクとを備えた便器洗浄水タンクにおいて、
前記内タンクの底部には、排水口と、この排水口の周縁から一体的に突設した洗浄水供給通路部を有し、
前記外タンクの底部には、前記洗浄水排出通路部を貫通し且つ固定シールする排出口と、便器と前記外タンクとを固定するボルトを貫通する固定ボルト貫通穴と、前記外タンクと前記内タンクとの間の空間部を通して前記内タンクの給水部に給水配管に導くために前記給水配管が貫通する給水配管用貫通孔とを有し、
前記外タンクの底部の内側面に前記給水配管用貫通孔の周囲を囲む第１立設堰を設けたことを特徴とする便器洗浄水タンク。
【請求項２】
前記第１立設堰の一部を前記外タンクの側壁で構成したことを特徴とする請求項１記載の便器洗浄水タンク。
【請求項３】
前記固定ボルト貫通穴はパッキンを介設して水密状態を形成することを特徴とする請求項１又は２記載の便器洗浄水タンク。
【請求項４】
前記外タンクの底部の内側面に前記固定ボルト貫通穴の周囲を囲む第２立設堰を設けたことを特徴とする請求項１又は２に記載の便器洗浄水タンク。
【発明の詳細な説明】
【技術分野】
【０００１】
本発明は、内タンクと外タンクからなる２重の便器洗浄水タンクに関する。
【背景技術】
【０００２】
従来の内タンクと内タンクを収容する外タンクとからなる２重タンクの便器洗浄水タンクとして、特開平９−１５８２８５に示すように、外タンクの底面には、便器への洗浄水供給用穴と、外タンクを便器に連結するための連結ボルトが貫通する２つの取付穴が穿設されている。また、水道から導かれる給水ホースは外タンクの上部側面に穿設した穴を介して、内タンク内のボールタップと連結している。そして、前記連結ボルトが貫通する２つの取付穴の周囲に結露水流出防止用の環状壁を立設している。
【０００３】
また、特開平９−２１７４０８に示されるように、外タンクの底面に給水ホースを導く穴をあけて、外タンクの底から給水ホースを外タンクと内タンクとの間に形成された空間部に導き、ホースを隠蔽することで外観上の意匠性を高め、いたずらも防止する方式を図る２重の便器洗浄水タンクがある。
【０００４】
【特許文献１】特開平９−１５８２８５号公報
【特許文献２】特開平９−２１７４０８号公報
【発明の開示】
【発明が解決しようとする課題】
【０００５】
しかし、特許文献１の便器洗浄水タンクにおいては、内タンクに給水する給水ホースが外タンクの外部に露出するため外観上の見栄えが良くなかった。また、外タンクの給水ホースの貫通孔から結露水が流出を防止するためにパッキンなどのシール部材が必要とされている。
【０００６】
また、特許文献２の便器洗浄水タンクにおいては、給水ホースを外タンクの底部から内部に挿入するための貫通孔から結露水が流出する恐れがある。
【０００７】
本発明は、洗浄水を貯留する内タンクと内タンクを収容する外タンクとを備えた便器洗浄水タンクにおいて、給水配管が露出せず外観上の見栄えがよく、給水配管へのいたずら防止および給水配管の取り替え容易に行え、しかも結露水の外側タンクからの漏水防止が図れる便器洗浄水タンクを提供することを目的とする。
【課題を解決するための手段】
【０００８】
上記目的を達成するために、請求項１記載の本発明は、便器洗浄水を貯留する内タンクと、前記内タンクの外側に配設され前記内タンクを収容する外タンクとを備えた便器洗浄水タンクにおいて、前記内タンクの底部には、排水口と、この排水口の周縁から一体的に突設した洗浄水供給通路部を有し、前記外タンクの底部には、前記洗浄水排出通路部を貫通し且つ固定シールする排出口と、便器と前記外タンクとを固定するボルトを貫通する固定ボルト貫通穴と、前記外タンクと前記内タンクとの間の空間部を通して前記内タンクの給水部に給水配管に導くために前記給水配管が貫通する給水配管用貫通孔とを有し、前記外タンクの底部の内側面に前記給水配管用貫通孔の周囲を囲む第１立設堰を設けたことを特徴とする。
【０００９】
このように構成された本発明においては、内タンクと外タンクとの間で結露水が発生した場合、外タンクの内側面、内タンクの外側面を伝わって外タンクの底部に流下した結露水は第１立設堰によって堰き止められ、前記給水配管用貫通孔から外タンクの外部に流出することがない。また、前記給水配管用貫通孔から結露水の流出を防止するためにパッキンなどのシール部材が不要となる。
また、前記給水配管用貫通孔の口径を余裕のある寸法に設定することにより、外タンクを便器から取り外すことなく、給水ホースなどの給水配管を内タンクの給水部に連結した状態で内タンクと共に外タンクから離脱することが可能となり、給水配管の取り替え作業が容易に行える。
【００１０】
また、本発明において、好ましくは、前記第１立設堰の一部を前記外タンクの側壁で構成する。
このように構成された本発明においては、給水配管用貫通孔の位置が外タンクの側壁に近い場合に、前記側壁側の立設堰を前記側壁で兼用することができる。
【００１１】
また、本発明において、好ましくは、前記固定ボルト貫通穴はパッキンを介設して水密状態を形成する。
このように構成された本発明においては、前記固定ボルト貫通穴からの結露水の流出が防止される。  
【００１２】
また、本発明において、好ましくは、前記外タンクの底部の内側面に前記固定ボルト貫通穴の周囲を囲む第２立設堰を設ける。
このように構成された本発明においては、パッキンなどのシール部材を使用する場合に比較して、シール性能は劣るが、前記固定ボルトに付随する前記シール部材を介する必要がなくなり、低コストで固定ボルト貫通穴からの結露水の流出防止が図れる。
【発明の効果】
【００１３】
本発明によれば、洗浄水を貯留する内タンクと内タンクを収容した外タンクとを備えた便器洗浄水タンクにおいて、給水ホースが露出せず外観上の見栄えがよく、給水ホースへのいたずら防止および施工性の向上が可能であり、給水配管が露出せず外観意匠性が向上し、結露水の外タンクからの漏水防止が図れる。
【発明を実施するための最良の形態】
【００１４】
以下、本発明の実施の形態を図面に基づいて説明する。
（第１実施例）
図１は本発明の一実施例のサイホン式大便器に洗浄水を供給する便器洗浄水タンクの断面図、図２は図１に示す便器洗浄水タンクの部分断面図である。図３は図１に示す便器洗浄水タンクの外タンクの平面図である。
【００１５】
便器洗浄水タンク１は、外タンク２の内側に内タンク３を配設している。外タンク２の底部２ａに、給水ホース４が貫通する給水ホース貫通孔５、外タンク２を図示しない便器に連結するための固定ボルト７、７が貫通する固定ボルト貫通孔８、８、内タンク３の底部の排水口１２ａの周縁から下方に突設した洗浄水供給通路部１３が貫通する洗浄水供給口１０を穿設している。そして、外タンク２の底部２ａの内側面２ｂで給水ホース貫通孔５の周囲に一段立ち上がった環状の第１立設堰６を一体に形成している。また、内タンク３は、底部に開口した排水口１２ａを開閉する排水弁１２、ボールタップ１４、ボールタップ１４に連結され内タンク３内の水位によってボールタップ１４の開閉操作を行うフロート１５を備えている。
【００１６】
洗浄水供給通路部１３の先端部外周には雄螺子部を形成し、この雄螺子部にナット１１を螺合して、洗浄水供給通路部１３の鍔部１３ａとナット１１とで外タンク２の底部２ａを挟み込んで締結固定している。１３ｂは環状のパッキンで鍔部１３ａと外タンク２の底部との間に介設して、洗浄水供給口１０周囲からの結露水の流出を防止している。
【００１７】
ボールタップ１４に洗浄水を供給する給水ホース４は、その一端をボールタップ固定部に連結接続し、内タンク３と外タンク２との間に形成した空間部に配設し、給水ホース貫通孔６から外タンク２の外部に延びて、他端を図示しない止水栓に連結接続している。
【００１８】
外タンク２と図示しない便器との連結固定は、固定ボルト貫通孔８、８に固定ボルト７、７に環状のパッキン７ａを嵌装して外タンク２の内側から挿入し、固定ボルト７、７の頭部及びパッキン７ａが固定ボルト貫通孔８、８に引っ掛け、ナット９を螺合し、固定ボルト７、７を図示しない便器側取り付け孔に挿入して外タンク１の底部２ａと便器とを締結している。
【００１９】
以上より、外タンク２と内タンク３との間の空間部で生じた結露水が外タンク１の底部２ａに流下した場合、環状の第１立設堰６により結露水が堰止められて給水ホース貫通孔５からの流出が阻止される。また、洗浄水供給口１０はパッキン１３ｂ、固定ボルト貫通孔８、８はパッキン７ａ、７ａによりシールしているので結露水が外タンク２から外部に流出することを防止している。
【００２０】
（第２実施例）  
本実施例は、図４に示すように給水ホース貫通孔５の及び固定ボルト貫通孔８、８の周囲に環状の第２立設堰１６を設けた例である。第２立設堰１６以外の構成については第１実施例と同様であるので説明を省略する。
この例においては、固定ボルト貫通孔８、８からの結露水流出が第２立設堰１６によって阻止される。また、第１実施例のようにパッキン７ａを用いなくても結露水流出防止ができ、パッキンなどのシール部材が不要となる。
【００２１】
（第３実施例）
本実施例は、図５に示すように給水ホース貫通孔５が外タンクの側壁近傍に配設される場合の例である。給水ホース貫通孔５の周囲に設けた立設堰以外の構成については第１実施例と同様であるので説明を省略する。
第１実施例における第１立設堰６の一部を外タンク１の側壁で兼用したもので、立設堰１７と外タンク側壁の一部１８で給水ホース貫通孔５の周囲を囲む構成である。この場合、給水ホース貫通孔５が外タンクの側壁近傍に設けられることがあっても給水ホース貫通孔５からの結露水の流出を防止する構造が容易に形成できる。
【図面の簡単な説明】
【００２２】
【図１】本発明に係る第１実施例の便器洗浄水タンクを説明する断面図。
【図２】図１に示す便器洗浄水タンクの部分断面図。
【図３】図１に示す便器洗浄水タンクの外タンクの平面図。
【図４】本発明に係る第２実施例の便器洗浄水タンクの部分断面図。
【図５】本発明に係る第３実施例の便器洗浄水タンクの外タンクの平面図。
【符号の説明】
【００２３】
１…便器洗浄水タンク
２…外タンク
２ａ…外タンクの底部
２ｂ…外タンクの底部の内側面
３…内タンク
４…給水ホース
５…給水ホース貫通孔
６…第１立設堰
７…固定用ボルト
７ａ、１３ｂ…パッキン
８…固定ボルト貫通孔
９、１１…ナット
１０…洗浄水供給口
１２…排水弁
１２ａ…排水口
１３…洗浄水供給通路部
１３ａ…鍔部
１４…ボールタップ
１５…フロート
１６…第２立設堰
１７…立設堰
１８…外タンク側壁の一部
【図１】
2005207049.tif 000003
【図２】
2005207049.tif 000004
【図３】
2005207049.tif 000005
【図４】
2005207049.tif 000006
【図５】
2005207049.tif 000007